(57)【要約】【課題】光伝送装置として構成されている部品で専用のバネ以外の最低必要部品の一部を用いてシャッター開閉に関与する構造にするものであり、部品点数および組み立て工数の低減を図り、安価に仕上げることを課題とする。【解決手段】受光または発光の少なくともいずれかを行う光素子を保持し、かつ、光信号伝送用のプラグを挿入するプラグ挿入口を備えた保持体と、該プラグ挿入口を開閉するシャッターと、該シャッターを閉じる方向に付勢する弾性部とを備えた光伝送装置であって、前記弾性部は、光伝送装置の構成部品の一部から構成されている。【選択図】図１
2006078768.tif 000002
【特許請求の範囲】
【請求項１】
受光または発光の少なくともいずれかを行う光素子を保持し、かつ、光信号伝送用のプラグを挿入するプラグ挿入口を備えた保持体と、該プラグ挿入口を開閉するシャッターと、該シャッターを閉じる方向に付勢する弾性部とを備えた光伝送装置であって、前記弾性部は、光伝送装置の構成部品の一部から構成されてなることを特徴とする光伝送装置。
【請求項２】
基板等の固定側に保持体を固定させる板金部材からなる固定用金具が搭載され、該固定用金具の一部に前記シャッター開閉に寄与する弾性部が形成されている請求項1に記載の光伝送装置。
【請求項３】
前記光素子の一部にシャッター開閉に寄与する前記弾性部が形成されている請求項1に記載の光伝送装置。
【請求項４】
前記光素子のＧＮＤ端子に相当する部品を延設することにより、該部品には延長部が形成され、該延長部が弾性部となっている請求項３に記載の光伝送装置。
【請求項５】
前記保持体の一部に、シャッター開閉に寄与する弾性部が形成されている請求項1に記載の光伝送装置。
【請求項６】
前記請求項1〜５の何れかに記載の光伝送装置を備えたことを特徴とする電子機器。
【請求項７】
前記請求項１に記載の光伝送装置に使用される保持体であって、一部にシャッター開閉に寄与する弾性部が形成されていることを特徴とする保持体。
【請求項８】
前記請求項１に記載の光伝送装置に使用される光素子であって、一部にシャッター開閉に寄与する弾性部が形成されていることを特徴とする光素子。
【発明の詳細な説明】
【技術分野】
【０００１】
本発明は、ＤＶＤプレーヤー、ＤＶＤレコーダー、ＴＶ、ＳＴＢ、ＡＶレシーバ、および、パソコン、ＰＤＡ、携帯電話などの電子機器に用いられる光伝送装置および電子機器並びに光伝送装置に使用されるホルダーおよび光素子に関する。
【背景技術】
【０００２】
近年、ＤＶＤに代表される民生機器において、光信号によるデジタル音声信号伝送が普及し、それらの送信部、受信部には、信号伝送を行わないときに、受発光部と光ファイバーケーブルのプラグとの光学的／機械的接合部分へのホコリ、異物の侵入防止や光漏れに対する目の保護の機構が設けられている。
【０００３】
保護の機構として、従来から挿入部に保護キャップを装着するタイプや、光ファイバーケーブルのプラグの挿抜に応じて蓋が開閉するシャッターが用いられていた。最近では利便性や誤飲防止のためにこのシャッターを備えたものが多く採用されている。
【０００４】
かかるシャッターを備えた光伝送装置は、受光または発光の少なくともいずれかを行う光素子を保持し、かつ、光信号伝送用のプラグを挿入するプラグ挿入口を備えた保持体と、プラグ挿入口を開閉するシャッターと、シャッターを閉じる方向に付勢するバネとを備えたものである（例えば、特許文献１参照）。
【特許文献１】特開２００１−２３５６５９号公報
【発明の開示】
【発明が解決しようとする課題】
【０００５】
前記光伝送装置において、非使用時にはシャッターはプラグ挿入口を閉塞している。また、使用時には光ファイバーケーブルのプラグが、シャッターを押し開いて保持体と嵌合する。このシャッターの安定した開閉をさせる為に、コイルバネ又は板バネがホルダー内に装着されている。かかるバネは、光伝送装置の構成部品の内で、独立した別個の部品であるため、構成部品が多くなり、シャッターやバネ等の構成部品を保持体に組み付けるアセンブリ時の工数が多くなり、この結果、光伝送装置の価格が高価になる問題があった。
【０００６】
本発明は、上記の問題に鑑み発明されたもので、シャッター開閉機構付光伝送装置のシャッター開閉に寄与するコイルバネ、イタバネ等の専用のバネを保持体に搭載すること無く、コイルバネ、イタバネ等の専用のバネに代わる方式を提案するものである。すなわち、光伝送装置として構成されている部品で専用のバネ以外の最低必要部品の一部を用いてシャッター開閉に関与する構造にするものであり、部品点数および組み立て工数の低減を図り、安価に仕上げることを課題とする。
【課題を解決するための手段】
【０００７】
本発明は、上記課題を達成するために、なされたもので、その特徴は、受光または発光の少なくともいずれかを行う光素子を保持し、かつ、光信号伝送用のプラグを挿入するプラグ挿入口を備えた保持体と、該プラグ挿入口を開閉するシャッターと、該シャッターを閉じる方向に付勢する弾性部とを備えた光伝送装置であって、前記弾性部は、光伝送装置の構成部品の一部から構成されてなることにある。なお、構成部品とは、シャッターを閉じる方向に付勢する機能以外の本来の機能を備えた部品をいう。
【０００８】
そして、本発明は、構成部品の一部からなる弾性部を利用して、シャッターを閉じる方向に付勢していることから、別体のコイルバネ、板バネ等の専用のバネが不要となり、最少の部品点数で安価に生産できる。
【０００９】
本発明は、基板等の固定側に保持体を固定させる板金部材からなる固定用金具が搭載され、該固定用金具の一部に前記シャッター開閉に寄与する弾性部が形成されていることにある。かかる場合には、光伝送装置を基板に固定させる際に必要となる固定用金具の一部が、従来のバネと同様の機能を備え、シャッターの閉塞状態を維持できる。
【００１０】
本発明は、前記光素子の一部にシャッター開閉に寄与する前記弾性部が形成されていることにある。かかる場合には、必須の構成部品である光素子の一部が、従来のバネと同様の機能を備え、シャッターの閉塞状態を維持できる。
【００１１】
更に、本発明は、前記光素子のＧＮＤ端子に相当する部品を延設することにより、該部品には延長部が形成され、該延長部が弾性部となっているのが好ましい。
【００１２】
本発明は、前記保持体の一部に、シャッター開閉に寄与する弾性部が形成されていることにある。かかる場合には、必須の構成部品である保持体の一部が、従来のバネと同様の機能を備え、シャッターの閉塞状態を維持できる。
【００１３】
本発明は、部品点数が少なく安価な光伝送装置を備えた電子機器を提供することができる。
【００１４】
また、本発明は、一部にシャッター開閉に寄与する弾性部が形成されている保持体や光素子を使用することにより、部品点数が少なく且つ組み立ての容易な生産性の高い光伝送装置を提供することができる。
【発明の効果】
【００１５】
本発明は、部品数の低減および工数の低減を図り、より安価に仕上げることができる。
【発明を実施するための最良の形態】
【００１６】
以下、本発明の実施形態について図面を用いて説明する。
（第一実施の形態）
図１〜図５は、本発明の第一実施の形態を示し、図１は本発明の光伝送装置のシャッターが閉じた状態の断面平面図、図２は同シャッターを開いた状態の断面平面図、図３は同基板固定用板金の斜視図、図４は本発明の光伝送装置の断面正面図、図５は同正面図である。
【００１７】
本第一実施の形態の光伝送装置１は、光を受光または発光する光素子２を保持すると共に、プラグが挿入されるプラグ挿入口１１を一端に備えた保持体（以下、ホルダーという）１０と、このプラグ挿入口１１を開閉するシャッター２０と、ホルダー１０を基板等の固定側に取付けるための基板固定用板金（固定用金具）３０とを備えている。
【００１８】
ホルダー１０には、光素子２と光ファイバーケーブル５のプラグ５ａとが収容される収容部１２が形成されている。シャッター２０は、その一端側の上下部に支持軸２１、２１が上下方向に突出され、各支持軸２１、２１がホルダー１０の一端部に回転自在に嵌合されている。また、シャッター２０の裏面には、係止突部２２が設けられている。
【００１９】
前記基板固定用板金３０は、ホルダー１０の収容部１２内に搭載されており、図３に示す如く、一対の平行な脚部３１ａ、３１ｂと、両脚部３１ａ、３１ｂの上端を連結する連結部３２とを有するように、板金部材を屈曲形成してなる。連結部３２は、図４に示すように、ホルダー１０の天壁１４内面に沿っている。両脚部３１ａ、３１ｂは、ホルダー１０の側壁１５ａ、１５ｂの内面に沿い、しかも、両脚部３１ａ、３１ｂの先端部３２ａ、３２ｂは、ホルダー１０の底壁１６から下方に突出している。
【００２０】
一方（シャッター２０の支持軸２１、２１側）の脚部３１ａには、板ばね状の弾性部３４が、シャッター２０に向けて突設されている。この弾性部３４は、基板固定用板金３０から一体に形成されており、その中途部３４ａがホルダー１０の中央側に屈曲され、先端部３４ｂが、シャッター２０の裏面に設けられた係止突部２２に係合している。このように弾性部３４の先端部３４ｂが、シャッター２０の係止突部２２を押圧することにより、弾性部３４は、シャッター２０を閉じる方向に付勢するバネとしての機能を備えている。
【００２１】
なお、図５に示す如くシャッター２０の閉塞時にシャッター２０の位置決めを行えるように、ホルダー１０の一端には、シャッター２０の飛び出し防止用の位置決め凸部１７が設けられている。また、ホルダー１０の側壁１５ａの内面には、シャッター２０を開放した際に、弾性部３４の先端部３４ｂが弾性力に抗して弾性変形できるように、先端部３４ｂを逃がすための逃がし凹部１８が形成されている。
【００２２】
次に、以上の構成からなる光伝送装置１を使用する場合について説明する。
【００２３】
光伝送装置１は、基板固定用板金３０を介して基板等に適宜固定される。そして、シャッター２０の閉塞時（光伝送装置１の非使用時）には、弾性部３４は、シャッター２０を閉塞する方向に付勢している（図１参照）。このため、ホルダー１０内部へのホコリ、異物の侵入防止や光漏れに対する目の保護が図れる。
【００２４】
光ファイバーケーブル５のプラグ５ａが、ホルダー１０の挿入口１５を介して収容部１２内に挿入されると、このプラグ５ａの挿入に伴いシャッター２０が支持軸２４、２４を中心にしてホルダー１０内側に回転し、ホルダー内部に収納される（図２参照）。このシャッター２０の回転に伴い、弾性部３４は、光ファイバーケーブル５のプラグ５ａが完全に挿入された状態でホルダー１０の側壁１５ａの逃がし凹部１８内部にしなった状態で収納される。光ファイバーケーブル５のプラグ５ａを抜くと、弾性部３４の復元力により、シャッター２０が元の閉じた状態に戻る。
（第二実施の形態）
図６〜図８は、本発明の第二実施の形態を示す。図６はシャッターが閉じた状態を示す断面側面図、図７はシャッターが開いた状態を示す断面側面図である。なお、前記第一実施の形態と同一部材は、同一符号を付してそれぞれの説明は省略する。
【００２５】
本第二実施の形態は、前記光素子２の一部に弾性部３４を設けたものである。光素子２は、ホルダー１０に搭載する発光素子又は受光素子で、図８に示すように、クリアー樹脂で成型されたモ−ルド樹脂部２ａに、複数のリード端子２ｂ、２ｃ、２ｄがインサートされたものである。そして、例えばＧＮＤ端子に相当するリ−ド端子２ｂを形成する金属部品を延設することにより、延長部が形成され、該延長部が弾性部３４を形成している。この弾性部３４は、モ−ルド樹脂部２ａの上面からリード端子２ｂ、２ｃ、２ｄに対して直角方向に屈曲されている。
【００２６】
シャッター２０は、上部の両側に支持軸２１、２１が設けられ、ホルダー１０に前記光素子２を搭載することで、リード端子２ｂを形成する金属部品の一部からなる弾性部３４が、ホルダー１０の天壁１４内面に沿っており、シャッター２０の上部に設けられた係止突部２２に係合している。そして、シャッター２０の開閉により、弾性部３４はシャッター２０と干渉することでしなり、シャッター開閉に寄与する。
（第三実施の形態）
図９および図１０は、本発明の第三実施の形態を示す。図９はシャッターが閉じた状態を示す断面側面図、図１０はシャッターが開いた状態を示す断面側面図である。なお、前記第一実施の形態と同一部材は、同一符号を付してそれぞれの説明は省略する。
【００２７】
本第三実施の形態は、ホルダー１０の一部に、シャッター開閉に寄与する弾性部３４が形成されている。例えば、ホルダー１０の天壁１４内面に、弾性部１９をシャッター２０に向けて一体成型する。この弾性部３４は、天壁１４内面に対して間隙を有するように設けられている。
【００２８】
そして、シャッター２０の開閉時、ホルダー１０の一部である弾性部３４が、シャッター２０と干渉することで、弾性部３４がしなり、シャッター開閉に寄与する。なお、ホルダー１０は、単体のものを成型する以外に、複数の部材を一体に組み付けたものであってもよい。
【００２９】
本発明は、前記それぞれの実施の形態に限定されるものではなく、本発明の光伝送装置は、光信号の伝送を行うものであればよい。出力系に用いる場合は、デジタル光信号出力の出力を伝送装置で行う。また、オーディオ機器の入力系に用いる場合は、デジタル光入力を伝送装置で行う。
【図面の簡単な説明】
【００３０】
【図１】本発明の第一実施の形態の光伝送装置のシャッターが閉じた状態の断面平面図である。
【図２】同シャッターを開いた状態の断面平面図である。
【図３】本発明の第一実施の形態の光伝送装置に使用される基板固定用板金の斜視図である。
【図４】第一実施形態の光伝送装置の断面正面図である。
【図５】同正面図である。
【図６】本発明の第二実施形態の光伝送装置のシャッターが閉じた状態の断面側面図である。
【図７】同シャッターを開いた状態の断面側面図である。
【図８】本発明の第二実施形態の光伝送装置に使用される光素子の斜視図である。
【図９】本発明の第三実施形態の光伝送装置のシャッターが閉じた状態の断面側面図である。
【図１０】同シャッターを開いた状態の断面側面図である。
【符号の説明】
【００３１】
２      光素子
２ｂ    ＧＮＤ端子（リ−ド端子）
５ａ    プラグ
１０    ホルダー（保持体）
１１    プラグ挿入口
２０    シャッター
３０    基板固定用板金（固定用金具）
３４    弾性部
【図１】
2006078768.tif 000003
【図２】
2006078768.tif 000004
【図３】
2006078768.tif 000005
【図４】
2006078768.tif 000006
【図５】
2006078768.tif 000007
【図６】
2006078768.tif 000008
【図７】
2006078768.tif 000009
【図８】
2006078768.tif 000010
【図９】
2006078768.tif 000011
【図１０】
2006078768.tif 000012